(57)【特許請求の範囲】
【請求項１】
前後左右の蓋を開いた段ボール箱内の底部に段ボール紙よりなる下敷を配置し、段ボール箱の内部に遊技機を横置き状態で収納し、遊技機の下側部を下敷に設けられた段ボール紙よりなる相対峙する一対の下部肩当間に挿入して下部肩当間で支持する一方、左蓋には前後一対の相対峙する上部肩当が設けられ、左蓋が閉じられた場合に上記左蓋における前後一対の相対峙する上部肩当が左蓋より内側に折り曲げられかつ上記段ボール箱に収納された遊技機の上側部を前後方向から挟んで支持し、上記左蓋における前後一対の相対峙する上部肩当の間における部分が上記段ボール箱に収納された遊技機の上側部を上から押さえ、右蓋には前後一対の相対峙する上部肩当が設けられ、右蓋が閉じられた場合、上記右蓋における前後一対の相対峙する上部肩当が右蓋より内側に折り曲げられかつ上記段ボール箱に収納された遊技機の上側部を前後方向から挟んで支持し、上記右蓋における前後一対の相対峙する上部肩当の間における部分が上記段ボール箱に収納された遊技機の上側部を上から押さえた後、前後蓋を閉じて左右蓋を上から押されるように封緘することにより遊技機を段ボール箱で梱包したことを特徴とする遊技機梱包装置。
【発明の詳細な説明】
【０００１】
【発明の属する技術分野】
本発明は、パチンコ機又はスロットマシーンのような遊技機を梱包する装置に関する。
【０００２】
【従来の技術】
図８は従来の遊技機梱包装置の分解した外観を示し、蓋１００を開いた段ボール箱１０１の内部の底部１０２に段ボール紙よりなる下敷１０３を配置し、段ボール箱１０１の内部に遊技機１０４を横置き状態で収納し、遊技機１０４の下側部１０５を下敷１０３に設けられた相対峙する一対の下部肩当１０６；１０７の間に挿入して下部肩当１０６；１０７で支持すると共に、段ボール箱１０１の上方から内部に段ボール紙よりなる上掛１０８を収納し、遊技機１０４の上側部１０９を上掛１０８に設けられた相対峙する一対の上部肩当１１０；１１１の間に挿入して上部肩当１１０；１１１で支持する一方、蓋１００を閉じて封緘することにより遊技機１０４を段ボール箱１０１で梱包するようになっている。
【０００３】
【発明が解決しようとする課題】
しかし、前記従来例は下敷１０３及び上掛１０８が段ボール紙により形成され、下部肩当１０６；１０７及び上部肩当１１０；１１１が発砲スチロールのような合成樹脂により形成されるというように、下敷１０３と下部肩当１０６；１０７とが異種材料で形成され、上掛１０８と上部肩当１１０；１１１とが異種材料で形成されているため、遊技機梱包装置で格納された遊技機１０４を遊技機製造会社から遊技店にトラックで運搬し、遊技店で遊技機梱包装置より遊技機１０４を取り出した後、遊技機梱包装置は使用済として破棄されるが、その際において、下敷１０３と下部肩当１０６；１０７とを材料で分別し、上掛１０８と上部肩当１１０；１１１とを材料で分別しなければならないという問題点があった。
【０００４】
そこで、本発明は材料による分別を不要とすることができる遊技機梱包装置を提供するものである。
【０００５】
【課題を解決するための手段】
本発明に係る遊技機梱包装置は、前後左右の蓋を開いた段ボール箱内の底部に段ボール紙よりなる下敷を配置し、段ボール箱の内部に遊技機を横置き状態で収納し、遊技機の下側部を下敷に設けられた段ボール紙よりなる相対峙する一対の下部肩当間に挿入して下部肩当間で支持する一方、左蓋には前後一対の相対峙する上部肩当が設けられ、左蓋が閉じられた場合に上記左蓋における前後一対の相対峙する上部肩当が左蓋より内側に折り曲げられかつ上記段ボール箱に収納された遊技機の上側部を前後方向から挟んで支持し、上記左蓋における前後一対の相対峙する上部肩当の間における部分が上記段ボール箱に収納された遊技機の上側部を上から押さえ、右蓋には前後一対の相対峙する上部肩当が設けられ、右蓋が閉じられた場合、上記右蓋における前後一対の相対峙する上部肩当が右蓋より内側に折り曲げられかつ上記段ボール箱に収納された遊技機の上側部を前後方向から挟んで支持し、上記右蓋における前後一対の相対峙する上部肩当の間における部分が上記段ボール箱に収納された遊技機の上側部を上から押さえた後、前後蓋を閉じて左右蓋を上から押されるように封緘することにより遊技機を段ボール箱で梱包したことによって、段ボール箱、下敷、下部肩当、上部肩当を使用済として破棄する場合に、材料で分別することなく一緒に捨てることができ、遊技機の上側部を支持する肩当を有する上掛が不要となり、遊技機梱包装置を構成する部品点数を削減することができる。
【０００６】
【発明の実施の形態】
図１〜図６は第１実施形態であって、図１は遊技機梱包装置１の分解した外観を示し、図２は遊技機９を梱包した遊技機梱包装置１の縦断面を示し、図３は展開した段ボール箱２を示し、図４は段ボール箱２の作り方の途中形態を示し、図５は段ボール箱２の底面側からの外観を示し、図６は扁平に折畳んだ段ボール箱２の外観を示す。
【０００７】
図１及び図２を参照し、遊技機梱包装置１について説明する。図１に示すように、遊技機梱包装置１は段ボール箱２及び下敷３を備え、段ボール箱２の前後左右蓋４；５；６；７を開き、段ボール箱２の内部における底部８に段ボール紙製の下敷３を配置した状態において、図２にも示すように、遊技機９を横置き状態で段ボール箱２の上方より内部に収納し、遊技機９の下側部１０を下敷３に設けられた段ボール紙製の相対峙する一対の下部肩当１１；１２の間に挿入することで、遊技機９の下側部１０を下部肩当１１；１２で遊技機９の前後方向より挟む格好で支持した後、左右蓋６；７を閉じることにより、左右蓋６；７に設けられた段ボール紙製の一対の相対峙する上部肩当１３；１４；１５；１６間に遊技機９の上側部１７を挿入することで、遊技機９の上側部１７を上部肩当１３〜１６で遊技機９の前後方向より挟むような格好で支持し、その後、前後蓋４；５を閉じて図外の紙テープのような封緘具で封緘するようになっている。遊技機９の横置き状態は、遊技店に設置される場合における遊技機９の上下部９ａ；９ｂが段ボール箱２の左右側壁１８；１９の方向に位置すると共に、遊技機９の前後部９ｃ；９ｄが段ボール箱２の前後壁２０；２１の方向に位置する形態である。
【０００８】
図３を参照し、段ボール箱２について説明する。展開した場合、段ボール箱２は糊代２２と後壁２１と左側壁１８と前壁２０及び右側壁１９とを左側から右側へと横一列に連接し、後壁２１より上下方向に後蓋５及び後底２３を連接し、左側壁１８より上下方向に左蓋６及び左底２４を連接し、前壁２０より上下方向に前蓋４及び前底２５を連接し、右側壁１９より上下方向に右蓋７及び右底２６を連接しており、ロール状に巻かれた長尺な段ボール紙材料から長方形状に切断されて材料取りされた後に、点線で示す折線３１；３２；３３；３４；３５；３６；３７；３８；３９；４０；４１；４２；４３；４４；４５；４６及び一点鎖線で示す折線４７；４８が付けられると共に上部肩当１３〜１６が形成された形態である。上部肩当１３；１４は左蓋６の先端縁から内側（左側壁１８の方向）に向けて直線状に延びた左右一対の切込４９；５０と、切込４９；５０の内側端より両外側に向けて直線状に延びた折線４３；４４とで構成される。上部肩当１５；１６は右蓋７の先端縁から内側（右側壁１９の方向）に向けて直線状に延びた左右一対の切込５１；５２と、切込５１；５２の内側端より両外側に向けて直線状に延びた折線４５；４６とで構成される。後底２３には糊代５３が折線４７で区分され、前底２５には糊代５４が折線４８で区分される。後左前右底２３〜２６は図１の底部８を形成する。
【０００９】
図４及び図５を参照し、段ボール箱２の作り方について説明する。図４に示すように、右側壁１９を前壁２０に対して折線３４で内側に折り曲げ、右底２６を右側壁１９に対して折線４２で内側に折り曲げ、前底２５を前壁２０に対して折線４０で内側に折り曲げて、前底２５の糊代５４と右底２６とを重ね合せて接着剤で結合する一方、左底２４を左側壁１８に対して折線３８で内側に折り曲げ、後壁２１を左側壁１８に対して折線３２で内側に折り曲げ、後底２３を後壁２１に対して折線３６で内側に折り曲げて、後底２３の糊代５３と左底２４とを重ね合せて接着剤で結合する。次に、図５に示すように、左側壁１８を前壁２０に対して折線３３で内側に折り曲げ、糊代２２を後壁２１に対して折線３１で内側に折り曲げて右側壁１９の内側に重ね合せて接着剤で結合することによって、段ボール箱２が完成する。
【００１０】
図６を参照し、段ボール箱２の保管形態について説明する。段ボール箱２の後左前右底２３〜２６を矢印Ｘで示すように外側から内側に押すことによって、左側壁１８と前壁２０とが連なって略平坦となると共に右側壁１９と後壁２１とが連なって略平坦となるに伴い、後底２３と左底２４との結合部分における糊代５３が折線４７で外側に折り曲げられると共に前底２５と右底２６との結合部分における糊代５４が折線４８で外側に折り曲げられ、後左前右底２３〜２６が段ボール箱２の内側に押込まれることによって、段ボール箱２は左側壁１８と前壁２０とが連なると共に右側壁１９と後壁２１とが連なった扁平となる。この扁平な段ボール箱２を複数枚重ねる場合、１つの段ボール箱２における右側壁１９と後壁２１との組に、もう１つの段ボール箱２における左側壁１８と前壁２０との組を重ねることによって、図５に示す箱状の段ボール箱２を重ねて保管する場合に比べ、嵩張らない。
【００１１】
第１実施形態の構造によれば、段ボール箱２と下敷３と下部肩当１１；１２及び上部肩当１３〜１６が段ボール紙により形成されているので、遊技機梱包装置１を使用済として破棄する場合に、段ボール箱２、下敷３、下部肩当１１；１２、上部肩当１３〜１６それぞれを材料で分別することなく一緒に捨てることができる。又、下敷３が段ボール箱２の底部８の内法と同じ大きさであることから、下部肩当１１；１２を有する下敷３が段ボール箱２の内部における底部８の上に重ね合されることによって、段ボール箱２が内部でがたつくことがない。そして、遊技機９が横置き状態で前後左右蓋４〜７の開けられた段ボール箱２の上方より内部に収納されることによって、遊技機９の下側部１０が下部肩当１１；１２で遊技機９の前後方向より挟むような格好で段ボール箱２に対してがたつくことがないように支持される。しかも、上部肩当１３〜１６が左右蓋６；７に形成されているので、遊技機９を段ボール箱２に収納した後に、左右蓋６；７を閉じることによって、遊技機９の上側部１７が上部肩当１３〜１６で遊技機９の前後方向より挟むような格好でがたつくことがないように支持される。最後に、後蓋５が閉じられて図外の封緘具で封緘されることによって、遊技機９が段ボール箱２の内部で下部肩当１１；１２と上部肩当１３〜１６とによって安定に支持される。又、上部肩当１３〜１６が段ボール箱２の左右蓋６；７に設けられたので、肩当を形成した上掛が不要となり、遊技機梱包装置１を構成する部品数を減少させることができる。
【００１２】
図７は第２実施形態を示す。第１実施形態は切込４９〜５２を左右蓋６；７に先端縁から内側に向けて形成して上部肩当１３〜１６を左右蓋６；７に設けたのに対し、第２実施形態は上部肩当１３〜１６を左右蓋６；７に先端縁より外側に突出し、上部肩当１３〜１６と左右蓋６；７との境に形成された折目５５；５６；５７；５８で上部肩当１３〜１６を内側に折り曲げることによって、図３に示す切込４９〜５２を左右蓋６；７から省くことができる。
【００１３】
上部肩当１３〜１６に類似する形状の段ボール紙を複数枚相互に接着したような段ボール紙製のブロックを左右蓋６；７に結合しても同様に適用できる。又、上部肩当１３〜１６を前後蓋４；５に形成することも可能である。しかし、上部肩当１３〜１６を左右蓋６；７に設けた方が、上部肩当１３〜１６の遊技機９を支持する上での構造が簡単である。
【図面の簡単な説明】
【図１】  第１実施形態の遊技機梱包装置を示す分解斜視図。
【図２】  第１実施形態の遊技機梱包装置に遊技機を梱包した縦断面図。
【図３】  第１実施形態の段ボール箱を示す展開図。
【図４】  第１実施形態の段ボール箱の作り方の途中形態を示す斜視図。
【図５】  第１実施形態の段ボール箱を示す底面側からの斜視図。
【図６】  第１実施形態の扁平に折畳んだ段ボールを示す斜視図。
【図７】  第２実施形態の段ボール箱の斜視図。
【図８】  従来の遊技機梱包装置を示す分解斜視図。
【符号の説明】
２  段ボール箱
３  下敷
４〜７  前後左右蓋
９  遊技機
１１；１２  下部肩当
１３〜１６  上部肩当
【図１】
0003901988.tif 000002
【図２】
0003901988.tif 000003
【図３】
0003901988.tif 000004
【図４】
0003901988.tif 000005
【図５】
0003901988.tif 000006
【図６】
0003901988.tif 000007
【図７】
0003901988.tif 000008
【図８】
0003901988.tif 000009